(57)【要約】【課題】記録媒体に記録されたデジタル映像情報を高速再生する際に、再生される映像にある程度の連続性を持たせて前後のつながりを把握し易いようにする。【解決手段】記録媒体であるＤＶＤに記録されたデジタル映像情報をｎ（ｎ≧３）倍速で高速再生する場合に、リモコンの高速再生キーを操作することによって、制御部により伸長部を制御し、ｎ倍速再生に対応する数フレーム毎の１フレームのピクチャを再生（図２のＡ１、Ａ２、…）した後、これに続いて所要数のフレームのピクチャを順次に通常再生（図２のＢ１、Ｂ２、…）する。これにより、ｎ倍速に対応する数フレーム毎に１フレームの圧縮映像音声データの飛び越し再生と、所要フレーム数の圧縮映像音声データの通常再生とを連続して行い、従来のような極端なコマ飛ばし再生ではなく、ある程度連続性のあるコマ飛ばし再生を実現し、前後のつながりの把握を可能にする。【選択図】　　　　図２
2004140723.tif 000002
【特許請求の範囲】
【請求項１】
動画の圧縮伸長の国際標準規格であるＭＰＥＧに準拠し所定フレーム数単位の映像情報ブロックの連続により構成され、記録媒体に記録された圧縮映像音声データを読み出す読出部と、前記読出部により読み出された前記圧縮映像音声データから映像データと音声データを分離する分離化部と、前記分離化部により分離された映像データ及び音声データをそれぞれ伸長する伸長部と、前記伸長部により伸長された映像データをモニタ画面に表示させる映像出力部と、前記伸長部により伸長された音声データをスピーカから出力させる音声出力部とから成るデジタル映像情報の再生装置において、
ｎ（但し、ｎ≧３）倍速再生に対応する数フレーム毎に１フレームずつの前記圧縮映像音声データを再生するための高速再生キーを有する操作部を備え、
前記制御部が、前記高速再生キーの操作時に、前記１フレームの前記圧縮映像音声データの再生後これに続いて所要数のフレームの前記圧縮映像音声データを通常再生または２倍速再生すべく前記伸長部を制御することを特徴とするデジタル映像情報の再生装置。
【請求項２】
高速再生時における前記１フレームの前記圧縮映像音声データの再生に続いて通常再生または２倍速再生すべき前記圧縮映像音声データの所要フレーム数を可変設定するための設定手段を備えていることを特徴とする請求項１に記載のデジタル映像情報の再生装置。
【請求項３】
前記設定手段が、前記操作部に設けられた設定キーであることを特徴とする請求項２に記載のデジタル映像情報の再生装置。
【請求項４】
高速再生時における前記１フレームの前記圧縮映像音声データの再生に続いて、通常再生または２倍速再生のいずれかの再生を択一的に行うための選択手段を備えていることを特徴とする請求項１ないし３のいずれかに記載のデジタル映像情報の再生装置。
【請求項５】
前記選択手段が、前記操作部に設けられた選択キーであることを特徴とする請求項４に記載のデジタル映像情報の再生装置。
【請求項６】
動画の圧縮伸長の国際標準規格であるＭＰＥＧに準拠し所定フレーム数単位の映像情報ブロックの連続により構成され、記録媒体に記録された圧縮映像音声データを読み出し、読み出した前記圧縮映像音声データから映像データと音声データを分離し、分離した前記映像データ及び音声データをそれぞれ伸長し、伸長した前記映像データをモニタ画面に表示すると共に、伸長した前記音声データをスピーカから出力するデジタル映像情報の再生方法において、
ｎ（但し、ｎ≧３）倍速再生に対応する数フレーム毎に１フレームずつの前記圧縮映像音声データを再生する際に、前記１フレームの前記圧縮映像音声データの再生後これに続いて所要数のフレームの前記圧縮映像音声データを通常再生または２倍速再生することを特徴とするデジタル映像情報の再生方法。
【請求項７】
設定手段の操作時に、高速再生時における前記１フレームの前記圧縮映像音声データの再生に続いて通常再生または２倍速再生する前記圧縮映像音声データの所要フレーム数を可変設定することを特徴とする請求項６に記載のデジタル映像情報の再生方法。
【請求項８】
選択手段の操作により、高速再生時における前記１フレームの前記圧縮映像音声データの再生に続く再生として、通常再生または２倍速再生のいずれかを択一的に行うことを特徴とする請求項６または７に記載のデジタル映像情報の再生方法。
【発明の詳細な説明】
【０００１】
【発明の属する技術分野】
この発明は、ＣＤ−ＲＯＭ、ＤＶＤ等の光ディスクやＤＡＴその他の記録媒体に記録されたＭＰＥＧ規格によるデジタル映像情報を再生するデジタル映像情報の再生装置及び再生方法に関する。
【０００２】
【従来の技術】
マルチメディアの急速な立上がりに伴い、映像信号と音声信号を同時に処理するために画像圧縮技術がにわかに脚光を浴び、特にカラー動画の圧縮伸長の国際標準規格としてＭＰＥＧ（Ｍｏｖｉｎｇ　Ｐｉｃｔｕｒｅ　Ｅｘｐｅｒｔｓ　Ｇｒｏｕｐ）は、コンピュータ、通信、放送、エンターテイメント等への応用が急速に普及した。その中で、ＭＰＥＧ１（ＭＰＥＧ　Ｐｈａｓｅ１　）はＣＤ−ＲＯＭ、ＤＡＴ等の蓄積メディアに用いられ、ＭＰＥＧ２（ＭＰＥＧ　Ｐｈａｓｅ２　）はＤＶＤ等の蓄積メディアのほかデジタル放送、通信等にも用いられている。
【０００３】
そして、ＭＰＥＧのデータ配列構造（ビットストリーム）は、特開平８−５１５９１号公報にも記載されているように階層構造（図３参照）を成しており、図３に示すように、ひとつのビデオプログラム全体を表すシーケンス層は所定フレーム数単位の映像情報ブロックであるいくつかのＧＯＰ（Ｇｒｏｕｐ　Ｏｆ　Ｐｉｃｔｕｒｅ）１により構成され、ＧＯＰ層はいくつかのピクチャ（画面）２から構成され、ピクチャ層は、１つのピクチャ２をいくつかのブロックに分割したスライス３から構成され、スライス層はいくつかのマクロブロック（以下、ＭＢと称する）４から構成され、ＭＢ層は８画素×８画素（或いは走査線）のブロック５から構成されている。
【０００４】
また、１つの８画素×８画素のブロック５がＭＰＥＧにおける符号化、即ちＤＣＴ（Ｄｉｓｃｒｅｔｅ　Ｃｏｓｉｎｅ　Ｔｒａｎｓｆｏｒｍ　、離散コサイン変換）の最小単位である。一方、ＭＢ４は輝度信号Ｙの４個のブロック５と色信号ＣＢ、ＣＲの２個のブロック５との合計６個のブロック５から構成され、このＭＢ４は動き補償予測の最小単位であり、動き補償予測のための動きベクトルはＭＢ単位で行われる。
【０００５】
更に、ＧＯＰ１には、フレーム内符号化を行う映像情報であるフレーム内符号化ピクチャ（Ｉｎｔｒａ−ｃｏｄｅｄ　Ｐｉｃｔｕｒｅ　）（以下、これをＩピクチャと称する）、前方向の予測符号化を行う映像情報であるフレーム間符号化ピクチャ（Ｐｒｅｄｉｃｔｉｖｅ−ｃｏｄｅｄ　Ｐｉｃｔｕｒｅ）（以下、これをＰピクチャと称する）、及び双方向の予測符号化を行う映像情報であるフレーム内挿符号化ピクチャ（Ｂｉｄｉｒｅｃｔｉｏｎａｌｌｙ　Ｐｒｅｄｉｃｔｉｖｅ−ｃｏｄｅｄ　Ｐｉｃｔｕｒｅ）（以下、これをＢピクチャと称する）が混在し、図４に示すように、予め設定された所定フレーム数のＩ、Ｐ、Ｂピクチャにより１つのＧＯＰ１が構成されている。
【０００６】
そして、図４に示すようなＩ、Ｐ、Ｂの各ピクチャを順次に再生すれば、通常の再生速度による通常再生となり、この通常速度に対する再生速度の倍率数である再生倍率数ｎ（但し、ｎ≧２）で再生すれば、通常速度のｎ倍の高速再生となる。ところが、Ｉピクチャはフレーム内符号化（ＤＣＴ）を行っているため、Ｉピクチャ単独で再生を行うことが可能であるのに対し、Ｐピクチャは前方向の動き補償を行っているため、Ｉピクチャを再生した後でなければＰピクチャの再生を行うことができない。また、Ｂピクチャは双方向からの予測画面であるため、前後にあるＩピクチャまたはＰピクチャを再生した後でなければＢピクチャを再生することはできない。
【０００７】
【発明が解決しようとする課題】
しかし、ＤＶＤ等の記録媒体の場合、図３、図４に示すようなＭＰＥＧビットストリームがそのまま記録されるため、高速再生等の特殊再生を行おうとすると、Ｉピクチャ単位でしか再生できず、つまり図５中のＡ期間において、Ｉピクチャの再生が行われた後、図５中のＣ期間だけコマ送りされ、これらの再生とコマ送りが繰り返されるのである。そのため、各ＧＯＰ１における一部分の映像しか再生できず、極端なコマ飛ばし再生となって連続性のない見づらい再生画像となり、前後のつながりを把握することが極めて困難であった。
【０００８】
尚、このような高速再生を行う装置として、特開平９−１３０７９６号公報に記載のものがある。しかしながら、この公報に記載の装置は、カラー静止画像を圧縮伸長する標準方式であるＪＰＥＧ（Ｊｏｉｎｔ　Ｐｈｏｔｏｇｒａｐｈｉｃ　ｃｏｄｉｎｇ　Ｅｘｐｅｒｔｓ　Ｇｒｏｕｐ　）に準拠した画像圧縮処理が施されたデジタル映像情報であるカラー静止画像を高速再生する技術で、高速再生されたＪＰＥＧ圧縮データの画像の動きを滑らかにしようとするものであり、カラー動画を対象としたＭＰＥＧ規格によるデジタル映像情報を高速再生しようとするものではない。
【０００９】
この発明が解決しようとする課題は、記録媒体に記録されたデジタル映像情報を高速再生する際に、再生される映像にある程度の連続性を持たせて前後のつながりを把握し易いようにすることにある。
【００１０】
【課題を解決するための手段】
上記した課題を解決するために、本発明のデジタル映像情報の再生装置は、動画の圧縮伸長の国際標準規格であるＭＰＥＧに準拠し所定フレーム数単位の映像情報ブロックの連続により構成され、記録媒体に記録された圧縮映像音声データを読み出す読出部と、前記読出部により読み出された前記圧縮映像音声データから映像データと音声データを分離する分離化部と、前記分離化部により分離された映像データ及び音声データをそれぞれ伸長する伸長部と、前記伸長部により伸長された映像データをモニタ画面に表示させる映像出力部と、前記伸長部により伸長された音声データをスピーカから出力させる音声出力部とから成るデジタル映像情報の再生装置において、ｎ（但し、ｎ≧３）倍速再生に対応する数フレーム毎に１フレームずつの前記圧縮映像音声データを再生するための高速再生キーを有する操作部を備え、前記制御部が、前記高速再生キーの操作時に、前記１フレームの前記圧縮映像音声データの再生後これに続いて所要数のフレームの前記圧縮映像音声データを通常再生または２倍速再生すべく前記伸長部を制御することを特徴している。
【００１１】
このような構成によれば、記録媒体に記録された圧縮映像音声データをｎ（ｎ≧３）倍速で高速再生する場合に、操作部の高速再生キーを操作することによって、制御部により伸長部が制御されて、ｎ倍速に対応する数フレーム毎に１フレームずつの圧縮映像音声データが再生された後、これに続いて所要数のフレームの映像情報が通常再生または２倍速再生される。このように、ｎ倍速に対応する数フレーム毎に１フレームずつの圧縮映像音声データの飛び越し再生と、所要フレーム数の圧縮映像音声データの通常再生または２倍速再生とが連続して行われるため、従来のような極端なコマ飛ばし再生とはならず、ある程度連続性のあるコマ飛ばし再生となり、前後のつながりを把握することが可能な高速再生を実現できる。
【００１２】
また、本発明のデジタル映像情報の再生装置は、高速再生時における前記１フレームの前記圧縮映像音声データの再生に続いて通常再生または２倍速再生すべき前記圧縮映像音声データの所要フレーム数を可変設定するための設定手段を備えていることを特徴としている。
【００１３】
こうすれば、ユーザが設定手段を操作して所要フレーム数を自分の好みに応じて可変設定することで、高速再生時における１フレームの圧縮映像音声データの再生に続く通常再生または２倍速再生の時間が可変設定される。そのため、例えば現在の設定では前後のつながりがわかりにくいときにはフレーム数を多くして通常再生または２倍速再生の時間を長くすることができ、ある程度連続性のあるコマ飛ばし再生においてより一層明確に前後のつながりを把握することが可能になる。
【００１４】
更に、本発明のデジタル映像情報の再生装置は、前記設定手段が、前記操作部に設けられた設定キーであることを特徴としている。
【００１５】
この場合、操作部の設定キーの操作により、高速再生時における１フレームの圧縮映像音声データの再生に続く通常再生または２倍速再生の時間を簡単に可変設定することができる。
【００１６】
また、本発明のデジタル映像情報の再生装置は、高速再生時における前記１フレームの前記圧縮映像音声データの再生に続いて、通常再生または２倍速再生のいずれかの再生を択一的に行うための選択手段を備えていることを特徴としている。
【００１７】
こうすることで、ユーザが選択手段を操作することにより、高速再生時における１フレームの圧縮映像音声データの再生に続き、通常再生または２倍速再生のいずれを行うかを好みの応じて選択できる。そのため、例えば２倍速再生を選択している状態では前後のつながりがわかりにくいときには、通常再生を選択することによって、コマ飛ばし再生における前後のつながりをより明確に把握しやすいように調整できる。
【００１８】
更に、本発明のデジタル映像情報の再生装置は、前記選択手段が、前記操作部に設けられた選択キーであることを特徴としている。
【００１９】
こうすれば、操作部の選択キーの操作により、高速再生時における１フレームの圧縮映像音声データの再生に続いて、通常再生または２倍速再生のいずれを行うかを簡単に選択できる。
【００２０】
ところで、本発明のデジタル映像情報の再生方法は、動画の圧縮伸長の国際標準規格であるＭＰＥＧに準拠し所定フレーム数単位の映像情報ブロックの連続により構成され、記録媒体に記録された圧縮映像音声データを読み出し、読み出した前記圧縮映像音声データから映像データと音声データを分離し、分離した前記映像データ及び音声データをそれぞれ伸長し、伸長した前記映像データをモニタ画面に表示すると共に、伸長した前記音声データをスピーカから出力するデジタル映像情報の再生方法において、ｎ（但し、ｎ≧３）倍速再生に対応する数フレーム毎に１フレームずつの前記圧縮映像音声データを再生する際に、前記１フレームの前記圧縮映像音声データの再生後これに続いて所要数のフレームの前記圧縮映像音声データを通常再生または２倍速再生することを特徴としている。
【００２１】
このような構成によれば、記録媒体に記録された圧縮映像音声データをｎ（ｎ≧３）倍速で高速再生する場合に、ｎ倍速に対応する数フレーム毎に１フレームずつの圧縮映像音声データの飛び越し再生と、所要フレーム数の圧縮映像音声データの通常再生または２倍速再生とが連続して行われるため、従来のような極端なコマ飛ばし再生とはならず、ある程度連続性のあるコマ飛ばし再生となり、高速再生であっても前後のつながりを把握することが可能になる。
【００２２】
また、本発明のデジタル映像情報の再生方法は、設定手段の操作時に、高速再生時における前記１フレームの前記圧縮映像音声データの再生に続いて通常再生または２倍速再生する前記圧縮映像音声データの所要フレーム数を可変設定することを特徴としている。
【００２３】
こうすることで、所要フレーム数を可変設定することにより、高速再生時における１フレームの圧縮映像音声データの再生に続く通常再生または２倍速再生の時間を可変設定できるため、ある程度連続性のあるコマ飛ばし再生においてより一層明確に前後のつながりを把握することが可能になる。
【００２４】
また、本発明のデジタル映像情報の再生方法は、選択手段の操作により、高速再生時における前記１フレームの前記圧縮映像音声データの再生に続く再生として、通常再生または２倍速再生のいずれかを択一的に行うことを特徴としている。
【００２５】
こうすると、高速再生時における１フレームの圧縮映像音声データの再生に続き、通常再生または２倍速再生のいずれを行うかを好みの応じて選択できるため、コマ飛ばし再生における前後のつながりをより明確に把握しやすいように調整することが可能になる。
【００２６】
【発明の実施の形態】
この発明をＤＶＤの再生装置（以下、これをＤＶＤプレーヤと称する）に適用した場合の一実施形態について図１及び図２を参照して説明する。
【００２７】
ＤＶＤプレーヤの構成を示す図１において、１１は図示しない駆動系により回転駆動される記録媒体としてのＤＶＤ、１２は光ピックアップから成る読出部、１３は読出部１２により読み出された圧縮映像音声データから圧縮映像データパケットと圧縮音声データパケットを分離する分離化部、１４は伸長部であり、分離化部１３により分離された圧縮映像データパケット及び圧縮音声データパケットをそれぞれ復号して元の映像音声信号に伸長する。ここで、読出部１２、分離化部１３及び伸長部１４は、一般のデコーダＩＣにより構成されている。
【００２８】
更に図１において、１５は伸長部１４により伸長された映像データを例えばテレビ等のモニタ画面Ｍに表示させるべくＮＴＳＣ或いはＰＡＬ方式のカラーテレビジョン信号に変換して出力する映像出力部、１６は伸長部１４により伸長された音声データをスピーカＳから出力させる音声出力部、１７は伸長部１４により伸長されたデータの一時記憶用のＲＡＭ等から成るメモリ、１８は後述の制御部による制御プログラムを格納したＲＯＭ、１９は制御部であり、操作部であるリモコン２０のキー操作に応じて、ＤＶＤ１１の駆動系を始め、読出部１２、分離化部１３、伸長部１４の動作制御を行う。尚、２１はデータの一時記憶用のＲＡＭであり、これら読出部１２、分離化部１３、伸長部１４、映像出力部１５、音声出力部１６、メモリ１７、ＲＯＭ１８、制御部１９及びＲＡＭ２１によりＤＶＤプレーヤが構成されている。
【００２９】
ところで、リモコン２０には、通常速度での再生つまり通常再生するための再生キー、停止キー等のほか、ｎ（ｎ＝４、８、１６等）倍速で高速再生するための高速再生キー２０ａが設けられている。
【００３０】
また、ＲＯＭ１８に格納された再生用制御プログラムとして、通常再生のほか、２倍速、４倍速、８倍速、１０倍速、１６倍速、２０倍速等の高速再生やスロー再生のための制御プログラムが各々の制御コードに対応づけられて格納され、これらの各制御プログラムに従って制御部１９により各部の制御が行われ、特に再生時において、伸長部１４は制御部１９から出力される制御プログラムの制御コードに応じたデコード処理を行うようになっている。尚、制御コードの例としては、通常再生であれば“００００”、１０倍速再生であれば“０００１”、２倍速再生であれば“００１０”等の制御コードが各制御プログラムに対応づけられている。
【００３１】
ここで、通常再生の場合であれば通常再生の制御プログラムに従い、伸長部１４により上記した各ＧＯＰ１の各ピクチャが順次に再生される。また、２倍速再生の場合であれば２倍速再生の制御プログラムに従い、基本的には伸長部１４により上記した各ＧＯＰ１の１フレーム毎の１ピクチャが再生され、１０倍速再生の場合であれば１０倍速再生の制御プログラムに従い、基本的には伸長部１４により上記した各ＧＯＰ１の例えば１０フレーム毎の１ピクチャが再生されるのである。但し、このときｎ倍速再生する場合であっても、各ＧＯＰ１の各ピクチャはすべてデコードされて一時メモリ１７に格納され、必要なピクチャだけがメモリ１７から読み出されて伸長部１４から映像出力部１５等に出力される。
【００３２】
尚、上記したようにＭＰＥＧの場合、Ｉピクチャ単位で再生されるため、例えば１０倍速再生において１０フレーム先にＩピクチャが存在しないときには、その先にあるＩピクチャが再生されることになり、正確に１０フレーム毎の１フレームが再生されているわけではなく、この場合の１０倍速再生とは、ほぼ１０倍に短縮された再生時間による再生ということになる。
【００３３】
そして、例えば高速再生が通常速度の１０倍速に設定されているとした場合に、リモコン２０の高速再生キー２０ａを同時操作すると、制御部１９により、ＲＯＭ１８に格納された“０００１”の制御コードの１０倍速再生の制御プログラム及び“００００”　の制御コードの通常再生の制御プログラムの組み合わせによる１０倍速の高速再生が行われる。
【００３４】
即ち、“０００１”の制御コードが制御部１９から伸長部１４に出力され、図２中のＡ１期間において、伸長部１４により１０倍速再生に対応する数フレーム毎の１フレームのＩピクチャ（図３、図４参照）による映像情報の再生が行われた後、“００００”の制御コードが制御部１９から伸長部１４に出力され、図２中のＢ１期間において、先程再生されたピクチャに連続する例えば４フレーム等の所要フレーム数のピクチャが通常再生され、その後図２中のＣ１期間に示される一定時間だけコマ送り状態が続く。
【００３５】
その後、再び“０００１”の制御コードが制御部１９から伸長部１４に出力され、図２中のＡ２（＝Ａ１）期間において、伸長部１４により１０倍速再生に対応する数フレーム毎の１フレームのＩピクチャによる映像情報の再生が行われた後、“００００”の制御コードが制御部１９から伸長部１４に出力され、図２中のＢ２（＝Ｂ１）期間において、先程再生されたピクチャに連続する例えば４フレーム等の所要フレーム数のピクチャが通常再生され、以後これらの動作が繰り返し行われる。
【００３６】
これにより、１０倍速の高速再生であっても、ある程度連続性のあるコマ飛ばし再生を実現することが可能になる。尚、このような高速再生は早送りのほか、早戻し時にも適用することが可能である。
【００３７】
従って、上記した実施形態によれば、リモコン２０の高速再生キー２０ａを操作することによって、制御部１９により伸長部１４が制御されて、ｎフレーム毎に映像情報が再生された後これに続いて所要数のフレームの映像情報が順次に再生されるため、ｎフレーム毎の映像情報の飛び越し再生と所要フレーム数の映像情報の通常再生とを連続して行うことによって、従来のような極端なコマ飛ばし再生とはならず、ある程度連続性のあるコマ飛ばし再生を実現することができ、１０倍速等の高速再生であっても前後のつながりを把握することが可能になり、画像の検索等を容易に行うことができる。
【００３８】
なお、上記した実施形態では、ｎ倍速再生に対応する数フレーム毎に１フレームずつの飛び越し再生に連続して所要フレーム数の映像情報の通常再生を行う場合について説明したが、他の実施形態として、この１フレームの圧縮映像音声データの飛び越し再生後、これに続いて所要フレーム数の圧縮映像音声データの２倍速再生を行うようにしてもよく、この場合も上記した実施形態と同等の効果を得ることができる。
【００３９】
また、上記した実施形態では、ＲＯＭ１８に格納された“０００１”の制御コードの１０倍速再生の制御プログラム、及び“００００”　の制御コードの通常再生の制御プログラムの組み合わせによって、１０倍速の高速再生を実行するようにした場合について説明したが、異なる実施形態として、１０倍速再生に対応する数フレーム毎の１フレームの圧縮映像音声データを再生した後、これに続いて所要数のフレームの圧縮映像音声データを通常再生（または２倍速再生）する高速再生を行う場合に、ひとつの制御コードでこのような高速再生を実行するようにプログラムしておいてもよいのは勿論である。
【００４０】
更に、異なる実施形態として、高速再生時における１フレームの圧縮映像音声データの再生に続いて通常再生または２倍速再生すべき圧縮映像音声データの所要フレーム数を可変設定するための設定手段を設け、この設定手段の操作により設定されたフレーム数の圧縮映像音声データを通常再生または２倍速再生するようにしてもよく、より具体的には、操作部であるリモコン２０に設定手段としての設定キーを設け、ユーザがこの設定キーの操作により所望のフレーム数を設定したときに、制御部１９により、この設定されたフレーム数の圧縮映像音声データを通常再生または２倍速再生するように構成するのが好ましい。
【００４１】
この場合、図２に示すＢ１、Ｂ２といった通常再生または２倍速再生の時間が設定手段の操作によりユーザの好みに応じて可変設定されることになり、現在の設定では前後のつながりがわかりにくいときには、フレーム数を多くしてＢ１、Ｂ２といった通常再生または２倍速再生の時間を長くすればよく、ある程度連続性のあるコマ飛ばし再生において、より一層明確に前後のつながりを把握することが可能になる。
【００４２】
また、異なる実施形態として、ｎ倍速再生に対応する数フレーム毎に１フレームずつの飛び越し再生に連続して所要フレーム数の映像情報の通常再生または２倍速再生を択一的に行うようにしてもよく、この場合には例えば操作部であるリモコン２０に選択手段としての選択キーを設け、ユーザがこの選択キーを操作して通常再生または２倍速再生のいずれかを選択したときに、制御部１９により選択された通常再生または２倍速再生のいずれかを択一的に実行するように構成するとよい。
【００４３】
更に、上記した実施形態では、本発明をデジタル映像情報の再生装置であるＤＶＤプレーヤに適用した場合について説明したが、特にＤＶＤプレーヤに限定されるものではなく、その他のＭＰＥＧに準拠した圧縮映像音声データを格納した記録媒体の再生にも本発明を適用できるのは勿論であり、いずれの場合も上記した実施形態と同等の効果を得ることができる。
【００４４】
また、本発明は上記した実施形態に限定されるものではなく、その趣旨を逸脱しない限りにおいて上述したもの以外に種々の変更を行うことが可能である。
【００４５】
【発明の効果】
以上のように、請求項１に記載の発明によれば、ｎ（ｎ≧３）倍速に対応する数フレーム毎に１フレームずつの圧縮映像音声データの飛び越し再生と、所要フレーム数の圧縮映像音声データの通常再生または２倍速再生とが連続して行われるため、従来のような極端なコマ飛ばし再生とはならず、ある程度連続性のあるコマ飛ばし再生となり、前後のつながりを把握することが可能な高速再生を実現でき、機能の優れたＤＶＤプレーヤ等のデジタル映像情報の再生装置を提供することが可能になる。
【００４６】
また、請求項２に記載の発明によれば、高速再生時における１フレームの圧縮映像音声データの再生に続く通常再生または２倍速再生の時間を任意に可変設定できるため、ある程度連続性のあるコマ飛ばし再生においてより一層明確に前後のつながりを把握することが可能になる。
【００４７】
また、請求項３に記載の発明によれば、操作部の設定キーの操作により、高速再生時における１フレームの圧縮映像音声データの再生に続く通常再生または２倍速再生の時間を簡単に可変設定することができる。
【００４８】
また、請求項４に記載の発明によれば、ユーザが選択手段を操作することにより、高速再生時における１フレームの圧縮映像音声データの再生に続き、通常再生または２倍速再生のいずれを行うかを好みの応じて選択できるため、コマ飛ばし再生における前後のつながりをより明確に把握しやすいように調整することができる。
【００４９】
また、請求項５に記載の発明によれば、操作部の選択キーの操作により、高速再生時における１フレームの圧縮映像音声データの再生に続いて、通常再生または２倍速再生のいずれを行うか簡単に選択することが可能になる。
【００５０】
また、請求項６に記載の発明によれば、記録媒体に記録されたデジタル映像情報をｎ（ｎ≧３）倍速で高速再生する場合に、ｎ倍速に対応する数フレーム毎に１フレームずつの圧縮映像音声データの飛び越し再生と、所要フレーム数の圧縮映像音声データの通常再生または２倍速再生とが連続して行われるため、ある程度連続性のあるコマ飛ばし再生を実現することができ、高速再生であっても前後のつながりを把握することが可能になる。
【００５１】
また、請求項７に記載の発明によれば、所要フレーム数を可変設定することにより、高速再生時における１フレームの圧縮映像音声データの再生に続く通常再生または２倍速再生の時間を可変設定できるため、ある程度連続性のあるコマ飛ばし再生においてより一層明確に前後のつながりを把握することが可能になる。
【００５２】
また、請求項８に記載の発明によれば、高速再生時における１フレームの圧縮映像音声データの再生に続き、通常再生または２倍速再生のいずれを行うかを好みの応じて選択できるため、コマ飛ばし再生における前後のつながりをより明確に把握しやすいように調整することが可能になる。
【図面の簡単な説明】
【図１】この発明の一実施形態のブロック図である。
【図２】一実施形態の動作説明図である。
【図３】従来例の動作説明図である。
【図４】従来例の動作説明図である。
【図５】従来例の動作説明図である。
【符号の説明】
１１　　ＤＶＤ（記録媒体）
１２　　読出部
１３　　分離化部
１４　　伸長部
１５　　映像出力部
１６　　音声出力部
１９　　制御部
２０　　リモコン（操作部）
２０ａ　高速再生キー
【図１】
2004140723.tif 000003
【図２】
2004140723.tif 000004
【図３】
2004140723.tif 000005
【図４】
2004140723.tif 000006
【図５】
2004140723.tif 000007